(57)【要約】【課題】一種の、背もたれ枠、座枠の傾斜角度が調整でき、より優れた快適性、安定性を提供でき、椅子を展開する際の衝撃を緩める椅子を斜めに横たえる機構を提供する。【解決するための手段】底座１、支持軸２、座枠３、背もたれ枠４、後連接棒５、補助装置６、前連接棒７、足掛け枠８を有し、支持軸２の一端部は底座１と接合し、中央、上方に其々枢接部２２，２３を設ける。座枠３に上、下の棒があり、軸棒によって支持軸２と枢接し、座枠３が支持軸２に応じて回転でき、上棒３２の前方、後方に枢接部を設ける。背もたれ枠４は、枢接パーツによって座枠３の上棒３２の後方にある枢接部と枢接し、延伸部に数個の枢接部を設ける。後連接棒５の両端は其々支持軸の上方にある枢接部及び背もたれ枠４の枢接部と枢接し、補助装置６の両端は其々座枠の上棒の枢接部、背もたれ枠４の延伸部の枢接部と枢接する。【選択図】図1
0003135449.tif 000002
【実用新案登録請求の範囲】
【請求項１】
底座と、
一端部が底座と接合し中央と上方には其々枢接部が設けてある支持軸と、
下棒の下方に枢接部が設けられ、軸棒によって支持軸と枢接され、座枠が支持軸に応じて回転でき、上棒の前方、後方に枢接部が設けられた上、下の棒を有する座枠と、
中に枢接部を設けて枢接パーツによって座枠の上棒の後方にある枢接部と枢接し、背もたれ枠において下向きに延伸部を設置し、延伸部に数個の枢接部を設けた背もたれ枠と、
後連接棒の両端部は其々支持軸の上方の枢接部及び背もたれ枠の延伸部の枢接部と枢接し、背もたれ枠を後へ移動するとき、後連接棒の角度がそれに応じて変わるようにさせた後連接棒と、
補助装置の両端部は其々座枠の上棒の枢接部と背もたれ枠の延伸部の枢接部と枢接している補助装置と、
前連接棒の一端部は背もたれ枠の延伸部の枢接部と枢接している前連接棒と、
足掛け枠の後方に座枠と枢接するための枢接部が設けてあり、且前連接棒と枢接するための枢接部を設置している足掛け枠と、を有し、
背もたれ枠を後へ倒すと後連接棒と連動して座枠が支持枠に応じて回転し、座枠の前方を上げると同時に足掛け枠が広がり、補助装置によって背もたれ枠が広がったり畳まれたりすることが可能な椅子を斜めに横たえる機構。
【請求項２】
座枠の上、下棒の間に中空部があり、後連接棒、補助装置、および前連接棒を座枠の中空部の位置に設ける請求項１に記載の椅子を斜めに横たえる機構。
【請求項３】
座枠に肘掛を固着している請求項１に記載の椅子を斜めに横たえる機構。
【請求項４】
補助装置は調整可能の空気圧縮棒である請求項１に記載の椅子を斜めに横たえる機構。
【請求項５】
空気圧縮棒に突出ボタンがあり、突出ボタンで押ボタンを押さえる度に空気圧縮棒の長さを変更でき、又該押ボタンはロープの一端と繋いでおり、ロープのもう一端には制御ボタンを連接して設け、該制御ボタンはロープと連動になって押ボタンの作動が制御できる請求項４に記載の椅子を斜めに横たえる機構。
【請求項６】
補助装置とはバネである請求項１に記載の椅子を斜めに横たえる機構。
【請求項７】
補助装置とは無段式空気圧縮棒である請求項１に記載の椅子を斜めに横たえる機構。
【請求項８】
補助装置とはモーターと伸縮棒とを組合わせた電動伸縮棒である請求項１に記載の椅子を斜めに横たえる機構。
【考案の詳細な説明】
【技術分野】
【０００１】
本考案は一種の背もたれ枠、座枠の傾斜角度が調整できる椅子を斜めに横たえる機構に関する。
【背景技術】
【０００２】
従来の椅子では、座り心地の快適さを向上するため、背もたれを後へ倒して斜めに横たえられるような設計を施している。図１０に示したのは従来の一構造であり、主に脚枠１'、背もたれ２'、座３'、足掛け４'からなる。該脚枠１'の後方に枢接孔１１'を設け、前方に固定ボタン１２'を設け、背もたれ２'の下方に枢接孔２１'を設けて枢接棒５'によって枢接孔１１'、２１'を貫通してから脚枠１'と枢接する。背もたれ２'の底部は座３'の後端と枢接して底端には連接棒２２'の一端を枢接して組合せる。座３'の中央の下方にスライドバー３１'を設け、該スライドバー３１'は固定ボタン１２'に応じて移動でき、固定ボタン１２'によってしっかり固着でき、足掛け４'は連接棒２２'のもう一端と枢接している。
【０００３】
図１１を参照する。前記した構造では固定ボタン１２'を弛めると利用者の横たわる力によって背もたれ２'を後へ倒すことができる。背もたれ２'を後へ倒すとき、枢接棒５'を回転軸にして回転させると同時に座３'を連動して前後へ移動させることができ、同時に連接棒２２'の前への移動に連動して足掛け４'が展開するため、背もたれ２'と座３'との間の角度ａが増大し、固定ボタン１２'を締めることによって後へ倒す角度を固定できる。
【０００４】
しかし前記した構造は次のような欠点を持っている。背もたれ２'を後へ倒すとき、座３'も同時に上昇するため、座３'と床の平行線ｃとの夾角ｂは著しく増大したままで、横たわる人の臀部が背もたれ２'と座３'との間に落ち難くなるので座り心地が悪い。
【０００５】
固定ボタン１２'を弛めて背もたれ２'を後へ倒すとき、緩衝設計がないため、背もたれ２'を瞬間的に大幅に後へ倒してしまうため角度を調整し難く、座り心地が悪いなどの欠点をもたらす。
後へ倒した背もたれ２'を倒す前の状態に戻す場合、人の体重で座３'を下げるか或いは人が椅子から離れて調整しなければならないため、復帰調整が不便になるという欠点を有する。
【考案の開示】
【考案が解決しようとする課題】
【０００６】
本考案の目的は、一種の背もたれ枠を後へ倒すとき、座枠と床の水平線との夾角をより大きくし、後へ横たわる快適さ、安定さを提供するほか、補助装置に合わせて背もたれの復帰調整の便利性及び展開するときの衝撃を弱めることにある。
【課題を解決するための手段】
【０００７】
本考案は底座、支持軸、座枠、背もたれ枠、後連接棒、補助装置、前連接棒、足掛け枠、肘掛からなり、底座の上方に軸座を設け、該軸座の中に軸受けを設ける。支持軸の一端部は底座の軸座と接合し、軸座に応じて回転できる。中央に座と枢接する枢接部を設け、軸棒によって後連接棒の一端部と枢接する。座枠には上、下の間に中空部を有する棒があり、該下棒の中央に枢接部を設け、軸棒によって該枢接部の枢接孔及び支持軸の枢接部の枢接孔を貫通して支持軸と枢接する。
【０００８】
上棒の前方の両側に枢接部を設け、枢接パーツによって足掛け枠と接合になり、又前方の両側に接合部を設け、且固着パーツによって肘掛と接合し、前方の中央に補助装置の一端部と枢接するための枢接部を設け、上棒の後方の両側に枢接部を設け、枢接パーツによって背もたれ枠を枢接して組合せる。背もたれ枠の下方の両側に枢接部を設け、枢接パーツによって座枠の上棒の後にある枢接部と枢接し、背もたれ枠の下方の中央において下向きに延伸部を設け、該延伸部の位置は座枠の中空部と対応する。
【０００９】
延伸部に枢接部を設け、枢接パーツによって後連接棒の一端部と枢接し、延伸部の底端には二つの枢接部を設け、其々補助装置の一端部及び前連接棒の一端部を枢接する。後連接棒は座枠の中空部に設けられ、両端部は其々支持軸の上方の枢接部及び背もたれ枠の延伸部の枢接部と枢接し、背もたれ枠を後へ移動させると後連接棒の角度が対応して変更され、更に背もたれ枠を支持し、背もたれ枠の前方を上へ移動させる。補助装置は座枠の中空部の位置に設けられ、調整可能な空気圧縮棒、無段空気圧縮棒、バネ、電動伸縮棒であってもよく、両端部は其々座枠の上棒の中央にある枢接部、背もたれ枠の延伸部の底端にある枢接部と枢接する。前連接棒は座枠の中空部に設けられ、その一端部は背もたれ枠の延伸部の底端にある枢接部と枢接し、もう一端部は足掛け枠と枢接する。足掛け枠の後方の両側に枢接部を設け、枢接パーツによって座枠の上棒の前方の枢接部と枢接し、下方に枢接部を設け、枢接パーツによって前連接棒の一端部と枢接する。それによってより優れた快適性、安定性を持ち、展開したり畳んだりするのに便利になる。
【考案を実施するための最良の形態】
【００１０】
図１〜３を参照する。本考案における第一実施例の椅子を斜めに横たえる機構には底座１、支持軸２、座枠３、背もたれ枠４、後連接棒５、補助装置６、前連接棒７、足掛け枠８、肘掛９がある。底座１の上方に軸座１１が固着され、該軸座１１の中に軸受け１２を設ける。
支持軸２の一端部２１は底座の軸座１１と接合し、軸座１１に応じて回転でき、中央に座枠３と枢接するための枢接部２２とその上方に枢接部２３を設け、軸棒２４によって後連接棒５の一端部５１と枢接する。
【００１１】
座枠３には下棒３１、上棒３２があり、上下の棒３１、３２の間に中空部３３がある。該下棒３１の下方の中央に枢接部３１１を設け、軸棒２４によって該枢接部３１１の枢接孔及び支持軸２の枢接部２３の枢接孔を貫通して支持軸２と枢接し、座枠３が支持軸２と対応して回転できる。上棒３２の前方両側に枢接部３２１を設け、枢接パーツによって足掛け枠８と接合し、前方両側に接合部３２２を設け、固着パーツによって肘掛９と接合し、前方の中央に補助装置６の一端部を枢接して組合わせるための枢接部３２３を設け、上棒３２の後方両側に枢接部３２４を設け、枢接パーツによって背もたれ枠４を枢接して組合わせる。
【００１２】
背もたれ枠４の下方両側に枢接部４１を設け、枢接パーツによって座枠３の上棒３２の後方にある枢接部３２４と枢接になり、背もたれ枠４の下方中央に下向きに延伸部４２を設け、該延伸部４２の位置が座枠３の中央部３３と対応する。延伸部４２に枢接パーツによって後連接棒５の一端部５２と枢接するための枢接部４２１を設け、又延伸部４２の底端に枢接部４２２、４２３を設け、其々補助装置６の一端部、前連接棒７の一端部と枢接する。
【００１３】
後連接棒５は座枠３の中空部３３の位置に設けられ、両端部５１、５２は其々支持軸２の上方の枢接部２３及び背もたれ枠４の延伸部４２の枢接部４２１と枢接し、背もたれ枠４を後へ移動させると後連接棒５の角度が対応して変更し、背もたれ枠４を支持することにより、座枠３の前方が上へ移動する。
【００１４】
調整可能の空気圧縮棒６１を有する補助装置６を座枠３の中空部３３に設け、一端部６１１は座枠３の上棒部３２の中央にある枢接部３２３と枢接し、もう一端部６１２は背もたれ枠４の延伸部４２の底端にある枢接部４２２と枢接する。図３に示したように該空気圧縮棒６１には突出ボタン６１３があり、押ボタン６１４を押すと空気圧縮棒６１の長さを制御でき、突出ボタン６１３を押さないと、空気圧縮棒６１は定位でき、該押ボタン６１４はロープ６１５によって連動する。
【００１５】
前連接棒７を座枠３の中空部３３に設け、その一端部７１は背もたれ枠4の延伸部４２の底端にある枢接部４２３と枢接し、もう一端部７２は足掛け枠８と枢接する。
足掛け枠８の後方両側に枢接部８１を設け、枢接パーツによって座枠３の上棒３２の前方の枢接部３２１と枢接し、下方に枢接部８２を設け、枢接パーツによって前連接棒７の一端部７２と枢接する。
【００１６】
肘掛９を座枠３に固着に設け、且制御ボタン９１を設け、該制御ボタン９１をロープ６１５の一端に繋いで制御ボタン９１によって押ボタン６１４が作動するようにロープ６１５を制御することができる。
図２、３を参照する。本考案では組合わせてから空気圧縮棒６１の伸展力で背もたれ枠４の底部を押すと背もたれ枠４を畳むことができ、空気圧縮棒６１を広げる長さによって背もたれ枠４の畳み角度を定位でき、背もたれ枠４を畳むと同時に、前連接棒７を連れて足掛け枠８を畳むことができる。
【００１７】
図３〜５を参照する。図４に示したように利用者が制御ボタン９１を押すとロープ６１５によって押ボタン６１４と連動して突出ボタン６１３を圧迫し、体の横たわる力によって背もたれ枠４を後へ倒し、更に空気圧縮棒６１から後へ倒す動作が緩衝される。背もたれ枠４によって支持軸２の上方にある後連接棒５の後端を連れて上へ移動させ、座枠３が支持軸２に応じて回転し、背もたれ枠３の前方が上がる。背もたれ枠４を後へ倒すと背もたれ枠４の下方にある延伸部４２が前へ移動し、空気圧縮棒６１を押さえて前連接棒７を前へ移動させるとそれに応じて足掛け枠８が展開する。
【００１８】
背もたれ枠４を後へ倒すとき、後連接棒５及び支持軸２によって其々背もたれ枠４、座枠３を支持するため作動の安定性が増し、利用者によって制御ボタン９１を放すと、空気圧縮棒６１の長さを固定することで背もたれ枠４の仰角（図３、５に示したように）が定位できる。更に図５に示したように座枠３の前方が上へ上がると床の平行線との夾角ｄが増大し、利用者は座るとき重心が自然に座枠３の後方へ滑るため快適性及び安定性が促進される。
背もたれ枠４を後へ倒すときに該空気圧縮棒６１がそれに応じて圧縮され、利用者が制御ボタン９１を押して足で足掛け枠８を圧迫すると空気圧縮棒６１の復帰力によって背もたれ枠４、座枠３が復帰するため、便利である。
【００１９】
図６、７を参照する。本考案における第二実施例では、補助装置がバネ６２である場合、背もたれ枠４を後へ倒すときに対応して圧縮、緩衝される。バネ６２の復帰力によって背もたれ枠４、座枠３は復帰し、該バネ６２の長さ及び最大な圧縮の長さによって背もたれ枠４を折畳んだり広げたりするときの角度が制限できる。更に無段式で弾性的な傾斜椅子であり、該バネ６２を無段式の空気圧縮棒（図の中に未表示）に替えても前記の機能を持つ。
【００２０】
図８〜９を参照する。本考案における第三実施例では、補助装置はモーター６３１及び伸縮棒６３２を組合わせる電動伸縮棒６３であれば、自動に背もたれ枠４、座枠３の傾斜角度を制御でき、更に電動による制御のため、使用に便利である。
前記の各実施例は本考案の例示であり、また本考案を以って特許申請の範囲の制限になり、本考案の底座には軸座を設置しないで支持軸と座枠が底座に応じて回転しない固定式椅子に形成させることができる。本考案における背もたれ枠、座枠、足掛け枠の上にクッション（図の中に未表示）を載せることができ、一人或いは数人に使用されるように設計でき、本考案の肘掛は必ずしも必要な構造ではない。凡そ本考案の精神によって施す、効果が等しい変更も本考案の特許申請の範囲の範疇内に属されるべきである。
【図面の簡単な説明】
【００２１】
【図１】本考案における第一実施例の分解図。
【図２】本考案における第一実施例の背もたれ枠を後へ倒す前の状態の分解図。
【図３】本考案における第一実施例の背もたれ枠を後へ倒す前の状態の横から見た概略図。
【図４】本考案における第一実施例の背もたれ枠を後へ倒す動作状態の横から見た概略図。
【図５】本考案における第一実施例の背もたれ枠を最大角度まで後へ倒した状態の横から見た概略図。
【図６】本考案における第二実施例の組合せの横から見た概略図。
【図７】本考案における第二実施例の組合せの横から見て背もたれ枠を後へ倒した概略図。
【図８】本考案における第三実施例の組合せの横から見た概略図。
【図９】本考案における第三実施例の組合せの横から見て背もたれ枠を後へ倒した概略図。
【図１０】従来の構造の概略図。
【図１１】従来の構造における背もたれを後へ倒した概略図。
【符号の説明】
【００２２】
１：底座、１１：軸座、１２：軸受け、２：支持軸、２１：端部、２２：枢接部、２３：枢接部、２４：軸棒、３：座枠、３１：下棒、３１１：枢接部、３２：上棒、３２１：枢接部、３２２：接合部、３２３：枢接部、３２４：枢接部、３３：中空部、４：背もたれ枠、４１：枢接部、４２：延伸部、４２１：枢接部、４２２：枢接部、４２３：枢接部、５：後連接棒、５１：端部、５２：端部、６：補助装置、６１：空気圧縮棒、６１１：端部、６１２：端部、６３：電動伸縮棒、６３１：モーター、６３２：伸縮棒、７：前連接棒、７１：端部、７２：端部、８：足掛け枠、８１：枢接部、８２：枢接部、９：肘掛、９１：制御ボタン、１'：脚枠、１１'：枢接孔、１２'：固定ボタン、２'：背もたれ、２１'：枢接孔、２２'：連接棒、３'：座、３１'：スライド棒、４'：足掛け、５'：枢接棒
【図１】
0003135449.tif 000003
【図２】
0003135449.tif 000004
【図３】
0003135449.tif 000005
【図４】
0003135449.tif 000006
【図５】
0003135449.tif 000007
【図６】
0003135449.tif 000008
【図７】
0003135449.tif 000009
【図８】
0003135449.tif 000010
【図９】
0003135449.tif 000011
【図１０】
0003135449.tif 000012
【図１１】
0003135449.tif 000013